【手続補正書】
【提出日】平成16年9月6日(2004.9.6)
【手続補正１】
【補正対象書類名】明細書
【補正対象項目名】特許請求の範囲
【補正方法】変更
【補正の内容】
【特許請求の範囲】
【請求項１】
生体適合性材料から作られ、末端部および始端部を有するシャフト；
前記シャフトの始端部側に配設された橋脚歯−インプラント接触面；および
前記シャフト上に形成され、前記橋脚歯−インプラント接触面に隣接して配設された骨組織付着表面を有し、
前記骨組織付着表面が、天然の骨組織形態の生理学的輪郭に近似するよう形成された少なくとも１つの山部と谷部を有している骨内歯科インプラント。
【請求項２】
前記骨組織付着表面が平面でない外観を有する、請求項１記載の骨内歯科インプラント。
【請求項３】
前記骨組織付着表面の最高点を、骨組織の隣接歯間の領域と実質的に合わせるように配置し、前記骨組織付着表面の最低点を骨組織の頬および舌の部分に実質的に合わせるように配置した、請求項２記載の骨内歯科インプラント。
【請求項４】
前記シャフト上に形成され、前記骨組織付着表面と前記橋脚歯−インプラント接触面間に配設された軟組織付着表面をさらに有し、前記軟組織付着表面は、天然の軟組織形態の生理学的輪郭に近似するように形成された少なくとも１つの山部と谷部を有する、請求項１記載の骨内歯科インプラント。
【請求項５】
橋脚歯を前記橋脚歯−インプラント接触面に接続する手段を含む、２段階法に使用するための、請求項１記載の骨内歯科インプラント。
【請求項６】
前記橋脚歯−インプラント接触面が、前記シャフトの縦軸に対しておよそ９０°の、実質的に平面の上部表面を有し、前記平面の上部表面が実質的に前記の接続手段を囲んでいる、請求項５記載の骨内歯科インプラント。
【請求項７】
前記橋脚歯−インプラント接触面が、輪郭を付けた上部表面を有し、前記輪郭を付けた上部表面が実質的に前記接続手段を囲んでいる、請求項５記載の骨内歯科インプラント。
【請求項８】
橋脚歯を有し、前記橋脚歯の下部表面が、前記輪郭を有する上部表面に実質的に当接し、改善された横方向の支持を提供する、請求項７記載の骨内歯科インプラント。
【請求項９】
前記橋脚歯−インプラント接触面に永久的に取付けられた橋脚歯を有する、１段階法に使用するための、請求項１記載の骨内歯科インプラント。
【請求項１０】
前記シャフトおよび前記橋脚歯が１つの材料から作られた、請求項９記載の骨内歯科インプラント。
【請求項１１】
前記橋脚歯が、上記シャフトの縦軸に対しておよそ９０°の、実質的に平面の上部表面を有し、前記平面の上部表面が実質的にチムニーを囲んでいる、請求項９記載の骨内歯科インプラント。
【請求項１２】
前記橋脚歯が輪郭を付けた上部表面を有し、前記輪郭を付けた上部表面が実質的にチムニーを囲んでいる、請求項９記載の骨内歯科インプラント。
【請求項１３】
生体適合性材料から作られ、末端部および始端部を有するシャフト； 
前記シャフト上に形成され、前記橋脚歯−インプラント接触面に隣接して配設された骨組織付着表面；および
前記シャフトの始端部に永久的に取付けられた橋脚歯を有し、
前記骨組織付着表面が、天然の骨組織形態の生理学的輪郭に近似するよう形成された少なくとも１つの山部と谷部を有している、１段階用骨内歯科インプラント。
【請求項１４】
前記橋脚歯が、上記シャフトの縦軸に対しておよそ９０°の、実質的に平面の上部表面を有し、前記平面の上部表面が実質的にチムニーを囲んでいる、請求項１３記載の１段階用骨内歯科インプラント。
【請求項１５】
前記橋脚歯が輪郭を付けた上部表面を有し、前記輪郭を付けた上部表面が実質的にチムニーを囲んでいる、請求項１３記載の１段階用骨内歯科インプラント。
【請求項１６】
生体適合性材料から作られ、末端部および始端部を有するシャフト； 
前記シャフト上に形成され、前記橋脚歯−インプラント接触面に隣接して配設された骨組織付着表面；
前記シャフトの始端部側に配設された橋脚歯−インプラント接触面；
前記骨組織付着表面に取付けられるよう形成された橋脚歯； 
前記橋脚歯−インプラント接触面に前記橋脚歯を接続する手段；および
前記橋脚歯上に適合するように形成された末端部を有する歯冠を有し、
前記骨組織付着表面が、天然の骨組織形態の生理学的輪郭に近似するよう形成された少なくとも１つの山部と谷部を有している、２段階用骨内歯科インプラントシステム。
【請求項１７】
前記前記橋脚歯−インプラント接触面が、前記接続手段を実質的に囲んでいる、実質的に平面の上部表面を有し、前記平面の上部表面が前記シャフトの縦軸に対しておよそ９０°の角度を有している、請求項１６記載の２段階用骨内歯科インプラントシステム。
【請求項１８】
前記橋脚歯が実質的に平面の上部橋脚歯−歯冠接触表面を有する、請求項１７記載の２段階用骨内歯科インプラントシステム。
【請求項１９】
前記橋脚歯が、実質的にチムニーを囲んでいる、輪郭を付けた上部橋脚歯−歯冠接触表面を有し、前記歯冠の末端部を、前記歯冠の少なくとも外側表面が、上部橋脚歯−歯冠接触面の輪郭まで延び、かつそれに従うように形成することにより、前記歯冠の末端部と骨組織付着表面の間の深さを浅くする、請求項１７記載の２段階用骨内歯科インプラントシステム。
【請求項２０】
前記橋脚歯−歯冠接触面が実質的に前記接続手段を囲んでいる、輪郭を付けた上部表面を有し、前記輪郭を付けた上部表面が天然の骨形態の輪郭におおよそ合っており、前記橋脚歯が、前記輪郭を付けた上部表面と実質的に当接するように形成された下部表面を有する、請求項１６記載の２段階用骨内歯科インプラントシステム。
【請求項２１】
前記橋脚歯が実質的に平面の上部橋脚歯−歯冠接触表面を有する、請求項２０記載の２段階用骨内歯科インプラントシステム。
【請求項２２】
前記橋脚歯が、実質的にチムニーを囲んでいる、輪郭を付けた上部橋脚歯−歯冠接触面を有し、前記歯冠の末端部を、前記歯冠の少なくとも外側表面が、上部橋脚歯−歯冠接触面の輪郭まで延びかつそれに従うように形成することにより、前記歯冠の末端部と骨組織付着表面の間の深さを浅くする、請求項２０記載の２段階用骨内歯科インプラントシステム。
【請求項２３】
生体適合性材料から作られ、末端部および始端部を有するシャフト； 
前記シャフト上に形成され、前記橋脚歯−インプラント接触面に隣接して配設された骨組織付着表面；
前記シャフトの始端部側に永久的に取付けられた橋脚歯；
前記橋脚歯上に固定するように形成された末端部を有する歯冠を有し、
前記骨組織付着表面が、天然の骨組織形態の生理学的輪郭に近似するよう形成された少なくとも１つの山部と谷部を有している、１段階用骨内歯科インプラントシステム。
【請求項２４】
前記橋脚歯が、実質的にチムニーを囲んでいる、実質的に平面の上部表面を有し、前記平面の上部表面が、前記シャフトの縦軸に対しておよそ９０°である、請求項２３記載の１段階用骨内歯科インプラントシステム。
【請求項２５】
前記橋脚歯が、実質的にチムニーを囲んでいる、輪郭を付けた上部表面を有し、前記輪郭を付けた上部表面が、天然の骨組織形態の輪郭におおよそ合っている、請求項２３記載の１段階用骨内歯科インプラントシステム。
【請求項２６】
前記歯冠の末端部を、前記歯冠の少なくとも外側表面が前記輪郭を付けた上部表面の輪郭まで延びかつそれに従うように形成することにより、前記歯冠の末端部と骨組織付着表面の間の深さを浅くする、請求項２５記載の１段階用骨内歯科インプラントシステム。